(57)【要約】【課題】能力不足の根拠となる客観的なデータを得ることができる能力診断データ記録装置を供給することを目的とする。【解決手段】運転時間積算部３１２ｂは圧縮機３２１が運転している運転積算時間Ｔ０を積算する。最大周波数運転時間算出部３１２ｃは、最大周波数にて圧縮機が運転している運転積算時間Ｔ１を積算する。割合算出部３１２ｄは、運転積算時間Ｔ０に対する運転積算時間Ｔ１の割合Ｒ（＝Ｔ１／Ｔ０）を算出し、不揮発性メモリ３１３に記録する。【選択図】図１
2009162435.tif 000002
【特許請求の範囲】
【請求項１】
空気調和動作を行うために冷媒を圧縮する圧縮機（３２１）が運転している第１期間を積算する第１運転時間積算部（３１２ｂ）と、
前記圧縮機が所定の能力を超えて運転している第２期間を積算する第２運転時間積算部（３１２ｃ）と、
前記第１期間に対する前記第２期間の割合が記録される不揮発性記録媒体（３１３）と
を備える、能力診断データ記録装置（３１）。
【請求項２】
請求項１に記載の前記能力診断データ記録装置（３１）と、
前記圧縮機と
を備える、空気調和機。
【請求項３】
前記第１期間に対する前記第２期間の割合が所定値を超えているときに、その旨を表示する表示部（１３;５１）
を更に備える、請求項２記載の空気調和機。
【請求項４】
（ａ）空気調和動作を行うために冷媒を圧縮する圧縮機（３２１）が運転している第１期間を積算するステップと、
（ｂ）前記圧縮機が所定の能力を超えて運転している第２期間を積算するステップと、
（ｃ）前記ステップ（ａ）及び前記ステップ（ｂ）の実行後に、前記第１期間に対する前記第２期間の割合を算出するステップと
を実行する、能力診断データ算出方法。
【請求項５】
（ｄ）前記ステップ（ｃ）の実行後に、前記割合が所定値を超えているかどうかを判断するステップと、
（ｅ）前記ステップ（ｄ）における判断が肯定的である場合に、その旨を表示するステップと
を更に実行する、請求項４に記載の能力診断データ算出方法。
【発明の詳細な説明】
【技術分野】
【０００１】
本発明は、能力診断データ記録装置及び空気調和機及び能力診断データ算出方法に関し、例えば空気調和機についての能力に関する。
【背景技術】
【０００２】
空気調和機は空調制御の対象である空間に対して温度などを調整する。そして、空気調和機が当該空間に対して適切に空調制御を行わない場合、その原因を特定する必要がある。
【０００３】
その原因は多種に渡り、例えば当該空間の空調負荷に対して空気調和機の能力が不足している場合がある。このような空気調和機の能力不足は、当該空間の広さや熱源（人など）の有無等を勘案して判断される。
【０００４】
なお、本発明に関連する技術として特許文献１が開示されている。
【０００５】
【特許文献１】特開２００７−１０７８７１号公報
【発明の開示】
【発明が解決しようとする課題】
【０００６】
しかしながら、ユーザに対して空気調和機の能力が不足していることを説明するに際して、能力不足の根拠となる客観的なデータがなく、説得力に欠けていた。
【０００７】
そこで、本発明は、能力不足の根拠となる客観的なデータを得ることができる能力診断データ記録装置を提供することを目的とする。
【課題を解決するための手段】
【０００８】
本発明に係る能力診断データ記録装置の第１の態様は、空気調和動作を行うために冷媒を圧縮する圧縮機（３２１）が運転している第１期間を積算する第１運転時間積算部（３１２ｂ）と、前記圧縮機が所定の能力を超えて運転している第２期間を積算する第２運転時間積算部（３１２ｃ）と、前記第１期間に対する前記第２期間の割合が記録される不揮発性記録媒体（３１３）とを備える。
【０００９】
本発明に係る空気調和機の第１の態様は、第１の態様に係る能力診断データ記録装置（３１）と、前記圧縮機とを備える。
【００１０】
本発明に係る空気調和機の第２の態様は、第１の態様に係る空気調和機であって、前記第１期間に対する前記第２期間の割合が所定値を超えているときに、その旨を表示する表示部（１３;５１）を更に備える。
【００１１】
本発明に係る能力診断データ算出方法の第１の態様は、（ａ）空気調和動作を行うために冷媒を圧縮する圧縮機（３２１）が運転している第１期間を積算するステップと、（ｂ）前記圧縮機が所定の能力を超えて運転している第２期間を積算するステップと、（ｃ）前記ステップ（ａ）及び前記ステップ（ｂ）の実行後に、前記第１期間に対する前記第２期間の割合を算出するステップとを実行する。
【００１２】
本発明に係る能力診断データ算出方法の第２の態様は、第１の態様に係る能力診断データ算出方法であって、（ｄ）前記ステップ（ｃ）の実行後に、前記割合が所定値を超えているかどうかを判断するステップと、（ｅ）前記ステップ（ｄ）における判断が肯定的である場合に、その旨を表示するステップとを更に実行する。
【発明の効果】
【００１３】
本発明に係る能力診断データ記録装置の第１の態様によれば、所望の空気調和動作に対して圧縮機能力が不足しているかどうかの根拠となる客観的なデータを得ることができる。
【００１４】
本発明に係る空気調和機の第１の態様によれば、空気調和機の能力が、空調負荷に対して不足しているかどうかの根拠となる客観的なデータを得ることができる。
【００１５】
本発明に係る空気調和機の第２の態様によれば、表示部を視認することで、空気調和機の能力が空調負荷に対して不足している可能性を認識できる。
【００１６】
本発明に係る能力診断データ算出方法の第１の態様によれば、所望の空気調和動作に対して圧縮機能力が不足しているかどうかの根拠となる客観的なデータを得ることができる。
【００１７】
本発明に係る能力診断データ算出方法の第２の態様によれば、圧縮機の能力が不足している可能性を視認できる。
【発明を実施するための最良の形態】
【００１８】
第１の実施の形態．
図１は空気調和機の一例の概念的な構成を示している。本空気調和機はリモートコントローラ（以下、リモコンと呼ぶ）１と、室内機２と、室外機３とを備えている。リモコン１，室内機２，室外機３は相互に通信可能である。室内機２及び室外機３は、図示せぬ冷媒回路を有している。室内機２及び室外機３は、ユーザによるリモコン１への操作入力に基づいて、図示せぬ冷媒回路に冷媒を循環させて当該冷媒の潜熱を利用して室内の温度を調整する。このような空調制御は公知な構成によって実現されるので、空調制御に関する詳細な説明は割愛する。なお、このような公知な構成は例えば特開２００７−２９２４２９号公報を参照してもよい。
【００１９】
図２は、図１に示す空気調和機の内部構成の一例の概念的な構成を示している。
【００２０】
室外機３は、電気要素部３１と、機械要素部３２とを備えている。機械要素部３２は、圧縮機３２１やファン３２２などを備えている。電気要素部３１は、通信部３１１と、マイコン３１２と、不揮発性メモリ３１３とを備えている。通信部３１１，マイコン３１２，不揮発性メモリ３１３は例えばプリント基板上に設けられる。
【００２１】
通信部３１１は室内機２と通信可能である。
【００２２】
不揮発性メモリ３１３は例えばＥＥＰＲＯＭ（Electronically Erasable and Programmable ROM）である。不揮発性メモリ３１３には、圧縮機３２１を駆動させる際の周波数の複数が予め記録されている。
【００２３】
マイコン３１２は、圧縮機指令部３１２ａと、運転時間積算部３１２ｂと、最大周波数運転時間積算部３１２ｃと、割合算出部３１２ｄとを備えている。
【００２４】
圧縮機指令部３１２ａは例えば不揮発性メモリ３１３に予め記録された周波数の一つを選択して、圧縮機３２１へと指令信号を出力する。圧縮機３２１は当該指令信号に基づいた能力で圧縮動作を行って冷媒を圧縮する。当該圧縮動作は例えば、図示しないモータの回転によって実現される。この場合、圧縮機の能力は当該モータの回転数として把握することができる。当該能力は、圧縮機の運転周波数の増大とともに増大する。
【００２５】
運転時間積算部３１２ｂは圧縮機が運転している運転積算時間Ｔ０を積算する。運転時間積算部３１２ｂは例えば圧縮機指令部３１２ａから上記指令信号を受け取ることで圧縮機３２１の運転の開始、終了を認識でき、図示せぬタイマー回路を用いて圧縮機３２１の運転積算時間Ｔ０を積算する。
【００２６】
最大周波数運転時間積算部３１２ｃは、圧縮機３２１が所定の能力（例えば当該圧縮機を駆動するモータの所定の回転数）を超えて運転している運転積算時間を積算する。例えば不揮発性メモリ３１３に予め記録された周波数のうち最大周波数で圧縮機３２１が運転している運転積算時間Ｔ１を積算する。
【００２７】
具体的な動作の一例を説明する。圧縮機指令部３１２ａが例えば最大周波数を選択した際にその旨を最大周波数運転時間積算部３１２ｃに通知する。当該通知を受け取った最大周波数運転時間積算部３１２ｃが図示せぬタイマー回路をセットして、経過時間をカウントする。そして、圧縮機指令部３１２ａが最大周波数以外の周波数を選択した際にその旨を最大周波数運転時間積算部３１２ｃに通知し、当該通知を受け取った最大周波数運転時間積算部３１２ｃは当該タイマー回路を停止する。
【００２８】
割合算出部３１２ｄは、運転時間積算部３１２ｂから運転積算時間Ｔ０を、最大周波数運転時間積算部３１２ｃから運転積算時間Ｔ１をそれぞれ受け取って、運転積算時間Ｔ０に対する運転積算時間Ｔ１の割合Ｒ（＝Ｔ１／Ｔ０）を算出する。そして、算出した割合Ｒを不揮発性メモリ３１３に記録する。
【００２９】
なお、運転時間積算部３１２ｂと、最大周波数運転時間積算部３１２ｃと、割合算出部３１２ｄの機能は、マイコン３１２が例えば不揮発性メモリ３１３に予め記録されているプログラムを読み出して実行することで実現されてもよく、またハードウェアで実現されてもよい。
【００３０】
当該割合Ｒが例えば０．９０を超えている場合であれば、圧縮機３２１はその運転時間の大部分を最大周波数で運転していることを意味する。このような場合は、空調負荷に対して、圧縮機の能力（例えば定格能力）、ひいては空気調和機の能力（例えば暖房定格能力、冷房定格能力）が不足していることが考えられる。なお、圧縮機の能力と空気調和機の能力は、正の相関関係にあるので、以下の説明では代表的に空気調和機の能力として説明するが、圧縮機の能力と読み替えても構わない。
【００３１】
そして、例えば作業員が不揮発性メモリ３１３に記録された当該割合Ｒを読み出すことで、空気調和機の能力不足の根拠となる客観的なデータ（割合Ｒ）を得ることができる。従って、本空気調和機が室内温度を制御するに際して室内温度を適切に制御できない場合（例えばユーザが設定した設定温度に対して室内温度が十分に近づかない場合）に、作業員は客観的なデータに基づいて空気調和機の能力不足の可能性をユーザに説明することができる。
【００３２】
また、本実施の形態においては、空気調和機の能力不足の可能性をユーザに通知することができる。以下、具体的に説明する。
【００３３】
室内機２は通信部２１と、マイコン２２とを備えている。
【００３４】
リモコン１は、通信部１１と、マイコン１２と、表示部１３とを備えている。
【００３５】
割合算出部３１２ｄは、算出した割合Ｒが所定値（例えば０．９０）を超えているかどうかを判断する。そして、超えていると判断したときに、通信部３１１を介して室内機２へとその旨の通知を送信する。
【００３６】
通信部２１を介して当該通知を受け取ったマイコン２２は、通信部２１を介して当該通知をリモコン１へと送信する。
【００３７】
通信部１１を介して当該通知を受け取ったマイコン１２は、空調負荷に対して空気調和機の能力が不足している可能性がある旨を表示部１３に表示する。
【００３８】
従って、ユーザは、リモコン１の表示部１３を視認することによって、空調負荷に対して空気調和機の能力が不足している可能性について認識でき、速やかな対応を採ることができる。
【００３９】
なお、運転時間積算部３１２ｂ、最大周波数運転時間積算部３１２ｃ、割合算出部３１２ｄの機能は、必ずしも室外機３に設けられている必要はなく、いずれもが室外機３、室内機２、リモコン１の何れかに設けられていればよい。例えば、室内機２のマイコン２２がこれらを備えているときは、室外機３（より具体的にはマイコン３１２）が例えば圧縮機３２１を駆動している周波数と、圧縮機３２１の運転開始及び終了とを、室内機２に送信すればよい。
【００４０】
図３は空気調和機の他の一例の概念的な構成を示している。図１に示す空気調和機と比較して、本空気調和機はサーバ４と情報端末５とを更に備えている。サーバ４は例えばＬＡＮ、ＷＡＮ、インターネット回線等を介して室内機２と通信可能に設けられている。情報端末５は、例えばインターネット回線やメール回線を介してサーバ４と通信可能に設けられている。また、情報端末５は表示部５１を備えている。このようなサーバ４は例えばビルの管理センターなどに設けられている。情報端末５は例えばパソコン、携帯電話、ＰＤＡなどである。この情報端末５は例えば本空気調和機を利用しているユーザが使用する。
【００４１】
リモコン１、室外機３の内部構成は図２に示す構成と同一である。但し通信部２１はサーバ４とも通信可能である。
【００４２】
このような構成の空気調和機において、室内機２（より具体的にはマイコン２２）は空調負荷に対して空気調和機の能力が不足している可能性がある旨の通知を、通信部２１を介してサーバ４に送信する。そして、サーバ４は、当該通知を例えばメール等によって情報端末５に送信する。当該通知を受け取った情報端末５は、空調負荷に対して空気調和機の能力が不足している可能性がある旨を表示部５１に表示する。
【００４３】
これによって、情報端末５の表示部５１を視認することでユーザに対して、空調負荷に対して空気調和機の能力が不足している可能性を通知できる。よって、迅速な対応を促すことができる。
【図面の簡単な説明】
【００４４】
【図１】空気調和機の一例の概念的な構成を示す図である。
【図２】図１に示す空気調和機の概念的な内部構成の一例を示す図である。
【図３】空気調和機の他の一例の概念的な構成を示す図である。
【符号の説明】
【００４５】
１３，５１  表示部
３１２ｂ  運転時間積算部
３１２ｃ  最大周波数運転時間積算部
３１２ｄ  割合算出部
３２１  圧縮機
【図１】
2009162435.tif 000003
【図２】
2009162435.tif 000004
【図３】
2009162435.tif 000005